(57)【特許請求の範囲】
【請求項１】
履いた状態の足が位置する部分に臨む箇所にパイルを備えてなる履物であって、
前記パイルは、略円柱形状をなし、繊維製の線条体が、パイルの軸線を中心としてほぼ径方向に放射状をなすように密設され且つ軸線方向に密設されてなり、前記パイルの略円柱形状外周面が前記各線条体の先端部により形成されているパイルであり、
前記パイルにおける線条体が０．０５乃至０．８デニールの非吸水性のフィラメントであり、前記パイルが高吸水高乾燥性のパイルであることを特徴とする履物。
【請求項２】
上記パイルが、０．０５乃至０．８デニールの非吸水性のフィラメントを飾り糸とするモール糸によるループ部が、そのモール糸の芯糸を中心として撚り合わさることにより略円柱形状を形成したものである請求項１に記載の履物。
【請求項３】
上記パイルの基部が、吸水性材料に結合された請求項１又は２に記載の履物。
【請求項４】
上記非吸水性のフィラメントが、ポリエステル系、ポリアミド系、ポリプロピレン系又はポリエチレン系のフィラメントである請求項１、２又は３記載の履物。
【請求項５】
上記非吸水性のフィラメントの吸水率が、２０℃相対湿度６５％において５％以下である請求項１、２又は３記載の履物。
【請求項６】
上記パイルを、履いた状態の足の裏側、甲側、爪先部、側部及び後部のうち何れか１又は２以上が位置する部分に臨む箇所に備える請求項１乃至５の何れか１項に記載の履物。
【請求項７】
上記パイルを、履いた状態の足の少なくとも裏側及び甲側が位置する部分に臨む箇所に備える請求項１乃至５の何れか１項に記載の履物。
【請求項８】
上記パイルを、履いた状態の足の足指間に挿まり得る位置に有する請求項１乃至７の何れか１項に記載の履物。
【請求項９】
上記パイルの先端部が、パイルを構成する放射状に配された繊維製の線条体の先端部により形成された略凸曲面状をなす請求項１乃至８の何れか１項に記載の履物。
【請求項１０】
上記パイルが、繊維製の線条体を飾り糸とするモール糸によるループ部が、そのモール糸の芯糸を中心として撚り合わさることにより略円柱形状を形成したものである請求項１乃至９の何れか１項に記載の履物。
【発明の詳細な説明】
【技術分野】
【０００１】
本発明は、吸水性に優れたパイルを、履いた状態の足が位置する部分に臨む箇所に備える履物に関する。
【背景技術】
【０００２】
特許第３１７７８３３号公報（特許文献１）には、接着性樹脂を有しないパイルと接着性樹脂によって繊維がセットされたパイルが混在するパイル層によって表面が覆われていることを特徴とする足拭きマットの発明が記載されている。
【０００３】
この足拭きマットは、セットパイルが剛直な麻糸のように足裏を刺激してサラットした爽快感を与え、使用中に足拭きマットがベトツキ感を帯び難く、頻繁に取り替えずに済むようになるものとされている。
【０００４】
この足拭きマットは、ベトツキ感を防ぐことができるものの、湯上りの濡れた足等の水分を迅速に除去するための吸水性について十分に考慮されているとは言い難いものであった。
【０００５】
特開平５−２４７８３４号公報（特許文献２）には、沸水収縮率が２５〜５０％の合成繊維（Ａ繊維）及び前記Ａ繊維以外の親水性繊維（Ｂ繊維）とからなる複合糸で該複合糸のパイル形成時の太さが２０００ｄ以上５０００ｄ以下、撚係数が７０以上、１２０以下であるパイル糸を編織したパイル布帛を熱処理することにより、パイル部のパイル長を３〜６ｍｍ、パイル直径を２〜５ｍｍとせしめたパイル布帛の発明が開示されている。
【０００６】
このパイル布帛の発明は、従来合成樹脂合成ゴムの成型品でしか得られなかった凹凸状足裏刺激に優れた靴内底、敷皮、およびスリッパ内底材において、繊維を使用して同様の効果をもたせ、更に従来品にはない吸水および吸湿性に優れた感触の良い快適靴内底、敷皮、スリッパ内底材に有用なパイル布帛を提供することを可能としたものである。
【０００７】
このパイル布帛の発明は、合成樹脂合成ゴムの成型品でしか得られなかった凹凸状足裏刺激に優れた靴内底と同様の効果を、繊維を使用したパイル布帛により実現しようとするものであるから、従来の合成樹脂合成ゴムでは得られなかった、吸水および吸湿性に優れ感触の良い靴内底、敷皮、およびスリッパ内底材を実現することができる。しかしながら、湯上りの濡れた足等の水分を迅速に除去するための吸水性について十分に考慮されているとは言い難いものであった。
【０００８】
また特開２００６−２１００４号公報（特許文献３）には、スリッパ踏み面及びスリッパ甲部内面側に、傾斜した短いパイル布のケバ立ち先部を、スリッパつま先方向に向け設けることを特徴とするスリッパの発明が記載されている。
【０００９】
この発明は、スリッパに設けた傾斜パイルのケバ立ち方向が、足裏の皮膚又は靴下の繊維に引っかかる効果を生じ、歩行時前進する或いは後退する時に脱げにくく、また廊下等に車椅子用に設けたスロープの上り勾配に向かって歩行するときも後ろ向きに脱げ易くなることも防げ、また余分な力を足に加える必要もなく楽で安全に歩行することが出来るという効果を奏する。
【００１０】
しかしながら、この発明のスリッパは、湯上りの濡れた足等の水分を迅速に除去するための吸水性について考慮されているものではない。
【特許文献１】特許第３１７７８３３号公報
【特許文献２】特開平５−２４７８３４号公報
【特許文献３】特開２００６−２１００４号公報
【発明の開示】
【発明が解決しようとする課題】
【００１１】
本発明は、従来技術に存した上記のような課題に鑑み行われたものであって、その目的とするところは、履くことによって、湯上りの濡れた足等の水分を迅速に吸収することができる履物を提供することにある。
【課題を解決するための手段】
【００１２】
(1) 上記目的を達成する本発明の履物は、
履いた状態の足が位置する部分に臨む箇所にパイルを備えてなる履物であって、
前記パイルは、略円柱形状をなし、繊維製の線条体が、パイルの軸線を中心としてほぼ径方向に放射状をなすように密設され且つ軸線方向に密設されてなり、前記パイルの略円柱形状外周面が前記各線条体の先端部により形成されているパイルであることを特徴とする。
【００１３】
履物のうち履いた状態の足（例えば足の裏側、甲側、爪先部、側部及び後部うち何れか１又は２以上）が位置する部分に臨む箇所に備えているパイルは、繊維製の線条体（例えば各種合成繊維フィラメント、合成繊維若しくは天然繊維ステープル糸等）が、パイルの軸線を中心としてほぼ径方向に放射状をなすように密設され且つ軸線方向に密設されてなるものであるため、略円柱形状をなすパイルの各円形状横断面において、内方に向かうほど更に前記線条体が高密度状態となる。
【００１４】
そのため、毛管現象により、パイルの内方に向かって吸水力が作用するので、各パイルは、比較的多量の水分（水以外の成分を含有する水又はその他の水系液体を含めて単に「水分」又は「水」とも言う。）を、各円形状横断面の内方に向かって迅速に吸収し得る。
【００１５】
そのため、この履物は、濡れた足で履いた場合に、履いた状態において濡れた足の水分を迅速に吸収することができる。
【００１６】
上記本発明の履物は、パイルの先端部が、パイルを構成する放射状に配された繊維製の線条体（例えば各種合成繊維フィラメント、合成繊維若しくは天然繊維ステープル糸等）の先端部により形成された略凸曲面状をなすものとすることができる。
【００１７】
この場合、パイルの先端部が、放射状に配された線条体の先端部により形成された略凸曲面状をなすので、略凸曲面状先端部の内方に向かうほど更に前記線条体が高密度状態となる。そのため、毛管現象により、パイルの内方に向かって吸水力が作用するので、各パイルの先端部から内方に向かって、水分を迅速に吸収し得る。
【００１８】
また、上記履物におけるパイルは、繊維製の線条体を飾り糸とするモール糸によるループ部が、そのモール糸の芯糸を中心として撚り合わさることにより略円柱形状を形成したものとすることができる。
【００１９】
この場合のパイルは、モール糸によるループ部が、そのモール糸の芯糸を中心として撚り合わさることにより、すなわち、ループ部を構成するモール糸のうち、ループ部の一方の基部から端部を構成する部分と他方の基部から端部を構成する部分が、両部分の芯糸を中心として撚り合わさることにより、略円柱形状を形成したものである。
【００２０】
(2) 上記本発明の履物は、上記パイルにおける上記線条体が０．０５乃至０．８デニールの非吸水性のフィラメントであり、上記パイルが高吸水高乾燥性のパイルであるものとすることができる。すなわち、上記パイルが、略円柱形状をなし、０．０５乃至０．８デニールの非吸水性のフィラメントが、パイルの軸線を中心としてほぼ径方向に放射状をなすように密設され且つ軸線方向に密設されてなり、前記パイルの略円柱形状外周面が前記各フィラメントの先端部により形成されている高吸水高乾燥性のパイルであるものとすることができる。
【００２１】
この場合、履物のうち履いた状態の足（例えば足の裏側、甲側、爪先部、側部及び後部うち何れか１又は２以上）が位置する部分に臨む箇所に備えているパイルは、０．０５乃至０．８デニールの極めて細い非吸水性のフィラメントが、パイルの軸線を中心としてほぼ径方向に放射状をなすように密設され且つ軸線方向に密設されてなるものであるため、略円柱形状をなすパイルの各円形状横断面において、内方に向かうほど更に前記フィラメントが高密度状態となる。
【００２２】
そのため、毛管現象により、パイルの内方に向かって強い吸水力が作用するので、各パイルは、比較的多量の水分（水以外の成分を含有する水又はその他の水系液体を含めて単に「水分」又は「水」とも言う。）を、各円形状横断面の内方に向かって迅速に吸収し得る。
【００２３】
逆に、水分を吸収したパイルにおける各円形状横断面の外方部である略円柱形状外周部は、毛管現象により、水分含有率が低い状態となる。而も、略円柱形状をなすパイルの略円柱形状外周面部は、非吸水性のフィラメントの先端部により形成されているので、繊維が占める面積が比較的小さく、且つ繊維自体が非湿潤状態を維持する。そのため、水分を吸収した状態のパイルの略円柱形状外周部は比較的乾燥した状態を維持し易い。
【００２４】
従って、この履物が備える前記パイルは、水分を迅速に吸収し得、而も表面が乾燥した状態が維持され易い高吸水高乾燥性を実現し得る。そのため、この履物は、濡れた足で履いた場合に、履いた状態において濡れた足の水分を迅速に吸収して素早く乾燥感を与えることができる。
【００２５】
而も、前記各パイルは、パイルを構成するフィラメントが非吸水性であるという材質と、そのフィラメントがパイルの軸線を中心としてほぼ径方向に放射状をなすように密設され且つ軸線方向に密設され、パイルの略円柱形状外周面は各フィラメントの先端部により形成されているという構造との両者よりして、遠心脱水性又はその他の脱水性及び脱水後の乾燥性に優れる。
【００２６】
なお、前記パイルは多数備えることが望ましい。また、本明細書において履物とは履くことができるものを意味し、履物を履いて歩行できるものであることを必ずしも要しない。
【００２７】
上記本発明の履物は、パイルの先端部が、パイルを構成する放射状に配されたフィラメントの先端部により形成された略凸曲面状をなすものとすることができる。
【００２８】
この場合、パイルの先端部が、０．０５乃至０．８デニールの非吸水性のフィラメントが放射状に配されたフィラメントの先端部により形成された略凸曲面状をなすので、略凸曲面状先端部の内方に向かうほど更に前記フィラメントが高密度状態となる。そのため、毛管現象により、パイルの内方に向かって強い吸水力が作用するので、各パイルの先端部から内方に向かって、水分を迅速に吸収し得る。逆に、吸水したパイルの先端部は、毛管現象により、水分含有率が低い状態となる。而も、略凸曲面状先端部は非吸水性のフィラメントの先端部により形成されているので、繊維が占める面積が比較的小さく、且つ繊維自体が非湿潤状態を維持する。そのため、水分を吸収した状態のパイルの先端部は比較的乾燥した状態を維持し易い。
【００２９】
また、上記履物におけるパイルは、０．０５乃至０．８デニールの非吸水性のフィラメントを飾り糸とするモール糸によるループ部が、そのモール糸の芯糸を中心として撚り合わさることにより略円柱形状を形成したものとすることができる。
【００３０】
この場合のパイルは、モール糸によるループ部が、そのモール糸の芯糸を中心として撚り合わさることにより、すなわち、ループ部を構成するモール糸のうち、ループ部の一方の基部から端部を構成する部分と他方の基部から端部を構成する部分が、両部分の芯糸を中心として撚り合わさることにより、略円柱形状を形成したものである。
【００３１】
上記履物におけるパイルの基部は、吸水性材料に結合されたものとすることができる。
【００３２】
この場合、パイルの基部が吸水性材料に結合されているので、パイルが吸収した水分を、その基部の吸水性材料が更に吸収することにより、パイルが吸水し得る水分の総量を増大させることができる。
【００３３】
また、上記履物のパイルにおける上記フィラメントは、ポリエステル系、ポリアミド系、ポリプロピレン系又はポリエチレン系のフィラメントであるものとすることができる。
【００３４】
また、上記履物のパイルにおける上記非吸水性のフィラメントは、上記のような効果を奏し得る程度の非吸水性であればよく、例えば、吸水率が２０℃相対湿度６５％において５％以下であるものとすることができる。
【００３５】
(3) 上記本発明の履物は、上記パイルを、履いた状態の足の少なくとも裏側及び甲側（必ずしも裏側及び甲側の全てであることを要しない）が位置する部分に臨む箇所に備えるものとすることができる。
【００３６】
この場合、上記パイルを、履いた状態の足の少なくとも裏側及び甲側が位置する部分に臨む箇所に備える。そのため、この履物は、濡れた足で履いた場合に、履いた状態、すなわち、その足の少なくとも裏側及び甲側がパイルで覆われた状態において、裏側及び甲側の水分を迅速に吸収することができる。また、パイルの線条体として０．０５乃至０．８デニールの非吸水性のフィラメントを用いたものの場合は、足に対し素早く乾燥感を与えることができる。
【００３７】
また上記本発明の履物は、上記パイルを、履いた状態の足の少なくとも裏側と甲側と側部（或いは裏側と甲側と爪先部［例えば足の先端部の裏側と甲側と爪先部］、或いは裏側と甲側と側部と爪先部、或いは裏側と甲側と側部と爪先部と後部）が位置する部分に臨む箇所に備えるものであることが好ましい。この履物は、濡れた足で履いた場合に、履いた状態、すなわち、その足の少なくとも裏側と甲側と側部（或いは裏側と甲側と爪先部［例えば足の先端部の裏側と甲側と爪先部］、或いは裏側と甲側と側部と爪先部、或いは裏側と甲側と側部と爪先部と後部）がパイルで覆われた状態において、裏側と甲側と側部（或いは裏側と甲側と爪先部［例えば足の先端部の裏側と甲側と爪先部］、或いは裏側と甲側と側部と爪先部、或いは裏側と甲側と側部と爪先部と後部）の水分を迅速に吸収することができる。また、パイルの線条体として０．０５乃至０．８デニールの非吸水性のフィラメントを用いたものの場合は、足に対し素早く乾燥感を与えることができる。なお、足用の靴下、手に着用する手袋、下半身用のズボンやタイツ等、上半身用のセーター等、全身用のスーツ等、帽子、目出し帽、ヘルメット等の被服や帽子類についても、それぞれ内側の全部又は部分に上記パイルを有するものとすることにより、本発明の履物と同様の効果を得ることが可能である。
【００３８】
更に、上記本発明の履物は、上記パイルを、履いた状態の足の足指間に挿まり得る位置に有するものとすることができる。この場合のパイルは、例えば立設若しくは垂下状態又はその他の状態とすることができる。
【００３９】
この場合、上記パイルを、履いた状態の足の足指間に挿まり得る位置に有するので、この履物は、指が濡れた足で履いた場合に、履いた状態、すなわち、足指間にパイルが挿まった状態において、少なくとも足指間の水分を迅速に吸収することができる。また、パイルの線条体として０．０５乃至０．８デニールの非吸水性のフィラメントを用いたものの場合は、足指に対し素早く乾燥感を与えることができる。
【発明の効果】
【００４０】
本発明の履物の、履いた状態の足が位置する部分に臨む箇所に備えているパイルは、水分を迅速に吸収し得る。そのためこの履物は、濡れた足で履いた場合に、履いた状態で濡れた足の水分を迅速に吸収することができる。また、パイルの線条体として０．０５乃至０．８デニールの非吸水性のフィラメントを用いたものの場合は、足に対し素早く乾燥感を与えることができる。
【発明を実施するための最良の形態】
【００４１】
本発明の実施の形態を、図面を参照しつつ説明する。
【００４２】
図面は何れも本発明の実施の形態の一例としてのスリッパ（履物の一例）についてのものであって、図１はスリッパの模式的縦断面図、図２はスリッパの模式的拡大横断面図、図３はパイル布の模式的拡大正面図、図４はパイルの模式的拡大横断面図、図５は、モール糸によりパイルを形成する工程の一部を示す模式図である。
【００４３】
このスリッパＡは、履いた状態の足が位置する部分（すなわち、スリッパＡを履いた状態において足の裏側、甲側の前部、爪先部及び前側部が位置する部分）に臨む箇所の全てが、パイル布Ｌにより構成されている。すなわち、スリッパＡの底上部Ａ１（爪先内下部Ａ２を含む）及び甲内部Ａ３（爪先内部Ａ４、爪先内上部Ａ５及び前内側部Ａ６を含む）に、パイル布Ｌが設けられている。而も、パイル布ＬにおけるパイルＰは、履いた状態の足が位置する部分に臨むように設けられている。なお本発明の履物は、履いた状態の足が位置する部分に臨む箇所の全てにパイルを有することを必ずしも要しないことは言うまでもない。
【００４４】
パイル布Ｌは、略円柱形状をなす多数のパイルＰが基布Ｓ上に配設されてなり、各パイルＰの基部は、基布Ｓに結合されている。なお、基布としては、例えばフェルト、織布、不織布、編物等を用いることができ、基布以外に、パイルを設けることが可能なシート状材料（例えば皮革、合成樹脂材料、合成ゴム材料等）を用いてパイルを備えた履物を構成することができる。
【００４５】
各パイルＰは、０．３デニールの非吸水性のポリエステルフィラメントＦ（なお、フィラメントを用いずにステープル糸等の繊維製の線条体を用いることもできる）を飾り糸とするモール糸Ｍにより形成されている。すなわち、図５に示すように、基布Ｓに対し、モール糸Ｍによるループ部Ｒを形成した後、ループ部Ｒを構成するモール糸Ｍのうち、ループ部Ｒの一方の基部から端部を構成する部分と他方の基部から端部を構成する部分が、両部分の芯糸Ｃを中心として撚り合わさることにより、図３に示す略円柱形状のパイルＰを形成したものである。例えば、強撚モール糸Ｍを用い、基布Ｓに対しモール糸Ｍによるループ部Ｒを形成した後、熱処理（染色工程における熱処理が好ましい）を行うことにより各ループ部Ｒがそのモール糸Ｍの芯糸Ｃを中心として撚り合わさるものとすることができる。
【００４６】
このようにして形成された各パイルＰは、略円柱形状をなし、０．３デニールの非吸水性のフィラメントＦが、パイルＰの軸線を中心としてほぼ径方向に放射状をなすように密設され且つ軸線方向に密設されてなり、パイルＰの略円柱形状外周面は、各フィラメントＦの先端部により形成される。パイルＰの先端部Ｐａは、パイルＰを構成する放射状に配されたフィラメントＦの先端部により形成された略凸曲面状をなす。
【００４７】
基布Ｓ上に多数配設されているパイルＰは、０．３デニールの極めて細い非吸水性のフィラメントＦが、パイルＰの軸線を中心としてほぼ径方向に放射状をなすように密設され且つ軸線方向に密設されてなるものであるため、略円柱形状をなすパイルＰの各円形状横断面において、内方に向かうほど更に前記フィラメントＦが高密度状態となる。また、パイルＰの先端部Ｐａが、０．３デニールの非吸水性のフィラメントＦが放射状に配されたフィラメントＦの先端部により形成された略凸曲面状をなすので、略凸曲面状先端部の内方に向かうほど更にフィラメントＦが高密度状態となる。そのため、毛管現象により、パイルＰの内方に向かって強い吸水力が作用するので、各パイルＰは、比較的多量の水を各円形状横断面の内方又は略凸曲面状先端部の内方に向かって迅速に吸水し得る。
【００４８】
逆に、吸水したパイルＰにおける各円形状横断面の外方部である略円柱形状外周部又は略凸曲面状先端部の外周面部は、毛管現象により、水分含有率が低い状態となる。而も、略円柱形状をなすパイルＰの略円柱形状外周面部及び略凸曲面状先端部は、非吸水性のフィラメントＦの先端部により形成されているので、繊維が占める面積が比較的小さく、且つ繊維自体が非湿潤状態を維持する。そのため、水分を吸収した状態のパイルＰの略円柱形状外周部は比較的乾燥した状態を維持し易く、べとつき感が生じにくい。すなわち、パイルＰは高吸水高乾燥性を実現し得る。
【００４９】
従って、このスリッパＡを履いた場合、底上部Ａ１（爪先内下部Ａ２を含む）及び甲内部Ａ３（爪先内部Ａ４、爪先内上部Ａ５及び前内側部Ａ６を含む）にそれぞれ設けられた多数のパイルＰ、すなわち、足の裏側、甲側の前部、爪先部及び前側部が位置する部分に臨む多数のパイルＰが、湯上り、シャワー、水泳、水遊び、海水浴の後等における濡れた足の水分を迅速に吸水して、スリッパＡを履いた状態の足に対し素早く乾燥感を与えることができる。而も、このスリッパＡは、各パイルＰを構成するフィラメントＦが非吸水性であるという材質と、そのフィラメントＦがパイルＰの軸線を中心としてほぼ径方向に放射状をなすように密設され且つ軸線方向に密設され、また、パイルＰの先端部ＰａはフィラメントＦが放射状に配されて略凸曲面状をなし、パイルＰの略円柱形状外周面及び先端部の略凸曲面状部は各フィラメントＦの先端部により形成されているという構造との両者よりして、遠心脱水性又はその他の脱水性及び脱水後の乾燥性に優れる。
【００５０】
また、本発明のスリッパ等の履物は、パイルを、履いた状態の足の足指間に挿まり得る位置に有するものとすることができる。より具体的には、例えば、履いた状態の足の足指間に挿まり得る位置のパイルの高さを高くすることや、履いた状態の足の足指間に挿まり得る位置のパイルを履物の甲側と足底側等の上下から支持して鼻緒状に形成することができる。この場合、履いた状態の足の足指間に挿まり得る位置にパイルを有するので、このスリッパは、指が濡れた足で履いた場合に、履いた状態、すなわち、足指間にパイルが挿まった状態において、少なくとも足指間の水分を迅速に吸収して素早く乾燥感を与えることができる。
【００５１】
フィラメントＦは、０．０５乃至０．８デニールであり、好ましくは０．１乃至０．５デニール、好ましくは０．２乃至０．４デニールである。フィラメントＦの材質は、ポリエステル系の他、例えば、ポリアミド系、ポリプロピレン系又はポリエチレン系のフィラメントＦを用いることができる。
【００５２】
芯糸Ｃは、吸水性糸および／または非吸水性糸とすることができる。芯糸Ｃの一部若しくは全部として熱融着糸を用いて飾り糸としてのフィラメントＦを融着したモール糸Ｍの場合、フィラメントＦの脱落を確実性高く防ぐことができる。
【００５３】
パイルＰの形状は、例えば軸線方向長さが直径の１．５倍乃至１０倍の略円柱形状とすることができる。好ましくは、軸線方向長さが直径の２倍乃至８倍、より好ましくは、軸線方向長さが直径の３倍乃至６倍程度である。略円柱形状をなすパイルＰの側周面の面積を比較的に大きくすることにより、水分吸収性に優れたスリッパＡが得られる。パイルＰの軸線方向長さは、例えば５乃至８０ｍｍとすることができる。好ましくは１５乃至５０ｍｍである。なお、パイルＰの直径は軸線方向にほぼ一定であることが好ましいが、必ずしもこれに限るものではない。
【００５４】
スリッパＡにおける各パイルＰは同一形状及び同一サイズであるものとすることができるが、形状及びサイズが異なる複数種のパイルＰを備えたスリッパＡとすることもできる。パイルＰは基布Ｓに対し密に設けることにより、パイルＰの先端側からパイルＰ間に基布Ｓが見えないようにすることが好ましい。パイルＰは基布Ｓに対し等間隔に設けることができるが、必ずしもこれに限らない。
【００５５】
基布Ｓは、吸水性繊維からなるものとすることができる。この場合、各パイルＰの基部は基布Ｓに結合されているので、パイルＰが吸収した水分を基布Ｓが更に吸収することにより、基布Ｓ上に配設された多数のパイルＰが吸水し得る水分の総量を増大させてパイルＰにべとつき感が生じることをより効果的に防ぐことができる。基布以外の基体にパイルを設ける場合も、その基体を吸水性材料からなるものとすれば同様の効果を得ることが可能である。なお、基布Ｓは必ずしも吸水性繊維からなるものであることを要しない。
【００５６】
また、本発明の履物の形態としては、スリッパ、サンダル、草履、短靴、ブーツ等、特に限定されず、例えば爪先部を開放状態とすることもできる。
【００５７】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００５８】
【図１】スリッパの模式的縦断面図である。
【図２】スリッパの模式的拡大横断面図である。
【図３】パイルの模式的拡大正面図である。
【図４】パイルの模式的拡大横断面図である。
【図５】モール糸によりパイルを形成する工程の一部を示す模式図である。
【符号の説明】
【００５９】
Ａ      スリッパ
Ａ１    底上部
Ａ２    爪先内下部
Ａ３    甲内部
Ａ４    爪先内部
Ａ５    爪先内上部
Ａ６    前内側部
Ｃ      芯糸
Ｆ      フィラメント
Ｌ      パイル布
Ｍ      モール糸
Ｐ      パイル
Ｐａ    先端部
Ｒ      ループ部
Ｓ      基布
【図１】
0005284624.tif 000002
【図２】
0005284624.tif 000003
【図３】
0005284624.tif 000004
【図４】
0005284624.tif 000005
【図５】
0005284624.tif 000006